(57)【要約】  本出願は、外科用器具のための外科用器具握り部を開示し、この外科用器具握り部は、外科用器具の軸構成部（１）及び操作部（２）のうち一方と固着接続されている、第一の握り部構成要素（１０）を備え、第一の握り部構成要素（１０）には人差し指台（１１）と母指球台（１２）が形成されており、ならびに第二の握り部構成要素（２０）を備え、この第二の握り部構成要素は、ヒンジ連結で第一の握り部構成要素（１０）と接続されており、外科用器具の軸構成部（１）及び操作部（２）のうちもう一方に接続可能であり、その際第二の握り部構成要素（２０）上に少なくとも１つの別の指台（２１、２２、２３；２１Ａ、２３Ａ）が形成されている。第一の握り部構成要素（１０）には、ロック要素（３０）が回転自在に取り付けられていて、このロック要素（３０）は、操作セクション（３２、３２Ａ）と第一のロック突出部分（３５）を備えている。第二の握り部構成要素（２０）には第二のロック突出部分（２５）が備えられ、第一のロック突出部分（３５）が第二のロック突出部分（２５）に向かって弾性的に、圧縮応力がかけられている。第一のロック突出部分（２５）及び前記第二のロック突出部分（３５）が、第一の握り部構成要素（１０）の母指球台（１２）と、第二の握り部構成要素（２０）の少なくとも１つの別の指台（２１、２２、２３；２１Ａ、２３Ａ）との間の距離が拡大することを阻止するために協働するように調整されており、操作セクション（３２、３２Ａ）は、使用者の親指を基本的に下から支持するように調整されている親指台（３３、３３Ａ）を備える。さらに、このような握り部を備えた外科用器具が開示される。
2016526942.tif 000002
【特許請求の範囲】
【請求項１】
第一の握り部構成要素１０を備え、該第一の握り部構成要素は外科用器具の軸構成部１及び操作部２のうち一方と固定接続可能であり、その際前記第一の握り部構成要素１０に人差し指台１１と母指球台１２が形成されており、
第二の握り部構成要素２０を備え、該第二の握り部構成要素はヒンジ連結で第一の握り部構成要素１０と接続されており、及び前記外科用器具の前記軸構成部１及び前記操作部２のうちもう一方と接続可能であり、
その際前記第二の握り部構成要素２０上に少なくとも１つの別の指台２１、２２、２３；２１Ａ、２３Ａが形成されている外科用器具用の外科用器具握り部であって、
前記第一の握り部構成要素１０にロック要素３０が回転自在に取り付けられており、その際前記ロック要素３０が操作セクション３２、３２Ａ及び第一のロック突出部分３５を有し、
前記第二の握り部構成要素２０に第二のロック突出部分２５が設けられており、
前記第一のロック突出部分３５が前記第二のロック突出部分２５に向かって弾性的に、圧縮応力がかけられていて、
前記第一のロック突出部分２５及び前記第二のロック突出部分３５が、第一の握り部構成要素１０の母指球台１２と、第二の握り部構成要素２０の少なくとも１つの別の指台２１、２２、２３；２１Ａ、２３Ａとの間の距離が拡大することを阻止するために協働するように調整され、及び
前記操作セクション３２、３２Ａが、使用者の親指を基本的に下から支持するように調整されている親指台３３、３３Ａを有していることを特徴とする、外科用器具握り部。
【請求項２】
前記ロック要素３０が、前記操作セクション３２と前記第一のロック突出部分３５との間で、前記第一の握り部構成要素１０上に回転自在に取り付けられている、請求項１に記載の外科用器具握り部。
【請求項３】
弾性要素４１が、前記第一の握り部構成要素１０と前記第二の握り部構成要素２０との間に配置されており、該弾性要素は前記握り部構成要素１０、２０が開位置に押されるよう調整されており、前記弾性要素４１が、好ましくは板ばねであり、該板ばねがさらに好ましくは前記第一の握り部部分１０に固定されており、及び前記第二の握り部構成要素２０に当接している、請求項１又は２に記載の外科用器具握り部。
【請求項４】
前記人差し指台１１、前記母指球台１２及び／又は少なくとも１つの別の指台２１、２２、２３、２１Ａ、２３Ａが基本的に閉じたリング２１Ａとして形成されている、請求項１〜３のいずれか一項に記載の外科用器具握り部。
【請求項５】
前記人差し指台１１と前記母指球台１２がバー１３で接続されており、前記親指台３３が少なくとも初期位置で前記バー１３の上方に配置されている、請求項１〜４のいずれか一項に記載の外科用器具握り部。
【請求項６】
前記第一のロック突出部分３５が前記第二のロック突出部分２５に向かって突出しているロック歯３６を備え、及び
前記第二のロック突出部分２５が、前記第一のロック突出部分３５の方を向いており、かつ好ましくは円弧形状に形成されているラック２６を備える、請求項１〜５のいずれか一項に記載の外科用器具握り部。
【請求項７】
前記第一のロック突出部分３５が、板ばね４２を使用して、前記第二のロック突出部分２５に向かって圧縮応力がかけられており、該板ばねが前記第一の握り部構成要素１０に固定されており、かつ前記ロック要素３０に当接している、請求項１〜６のいずれか一項に記載の外科用器具握り部。
【請求項８】
右利きでも左利きでも操作可能であるために、前記親指台３３、３３Ａが、前記第一の握り部構成要素１０の長手軸の両側に伸びている、請求項１〜７のいずれか一項に記載の外科用器具握り部。
【請求項９】
軸構成部１と、
操作部２と、
前記軸構成部１及び前記操作部２の軸方向の相対運動によって操作可能である挟持部とを備える外科用器具であって、
前記請求項のいずれか一項にそった外科用器具握り部を特徴とする、外科用器具。
【請求項１０】
前記第一の握り部構成要素１０が、外科用器具の軸構成部１及び操作部２のうち一方と、固着的に接続されていて、及び
前記第二の握り部構成要素２０が、前記外科用の器具の前記軸構成部１及び前記操作部２のうちもう一方と連結されている、請求項９に記載の外科用器具。
【発明の詳細な説明】
【技術分野】
【０００１】
本発明は人間工学的ロック機構を備えた外科用器具握り部、及び特に中空軸器具のためのそのような器具握り部に関する。
【０００２】
外科用器具はその握り部の種類によって多数の異なったロック機構を備えており、例えば止血鉗子の場合このロック機構の役目は、脈管を挟持した位置で保持することを引き受けることであり、その結果使用者はロック効果を放棄することなくこの器具から手を放すことができる。他方で、使用者はいつでもロック機構を解除し、器具を取り出すか新たに別の箇所で使用することができる。ロック機構を備えた器具は、直視下手術でも内視鏡手術でも使用される。
【０００３】
クロスレバー構造のリングブランチ器具は、直視下手術において最も一般的な器具構造であるが、双方のブランチの間に、閉じ方向にかみ合うラチェットが配置され、このラチェットが相互に係合し、それによって開方向へのロック効果が生じる。ロック効果の解除は、両ブランチを傾倒することで行い、その際にロックが解除される。解除する際にロック圧力に抗しなければならず、その際にリング内にある指を、リングエッジの圧力に抗して使わなければならないということは不都合である。
【背景技術】
【０００４】
従来技術では、軸器具の場合、ブランチの終端部に取り付けられている、外旋回が可能なラックがある。このラックは軽いバネ圧下で、反対側のブランチ終端に固定された逆鉤の上を滑り、その結果ロック効果が開方向に生じ、このロック効果はラックが外旋回することで解除される。
【０００５】
ロック機構の人間工学的ではない全ての操作は、意図しない器具の動きに繋がるため、外科用器具握り部での人間工学的ロック機構は、特に中空軸器具では重要である。中空軸器具の握り部から挟持部までの距離が比較的大きいため、握り部部分の意図しない旋回がわずかであっても挟持部への影響は著しく大きく、挟持部の顕著な動きに繋がってしまう。
【０００６】
従来技術では、多数の器具握り部やロック機構が公知である。いわゆるピストル型握り部を備えた器具が広く知られている。ピストル型握り部は、使用者の手の指が基本的にピストルを保持する場合のように曲げられる握り部であって、中空軸は、人差し指の上方で、おおよそ伸ばした人差し指が指す方向に伸びる。加えて親指及び／又は母指球は第一の握り部構成要素に当接し、人差し指、中指、薬指及び小指は第二の握り部構成要素に当接する。２つの握り部構成要素のうち１つは、中空軸と固着接続されており、他方の１つの握り部構成要素は中空軸とヒンジ連結で連結され、加えて操作部と連結されている。２つの握り部構成要素が互いに向かって動かされると、中空軸と操作部との相対運動に繋がり、この相対運動は挟持部で開放動作又は閉鎖動作に変換される。このようにして、ピストル型握り部を使って挟持部を開閉するか、又は１つの位置に保持することができる。例えば組織片を掴み取って保持しなければならない場合、使用者が所望の位置で長時間保持している必要が無いように、しばしばピストル型握り部にロック機構が設けられている。このロック機構は、２つの握り部構成要素間に解除可能な連結を形成し、こうしてそれらの相互の位置を、ひいては挟持部の位置を保障する。
【０００７】
独国公開特許第１０３  ５３  ６０５  Ａ１号には、ロック機構を備えたこのようなピストル型握り部が示されている。このロック機構は、人差し指を前側の握り部構成要素に向かって動かしその際ロック要素を操作することで、人差し指によって操作可能であり、すなわち解除可能である。ロック要素は、操作セクションとロック突出部分とを備え、同時にロック要素は操作セクションとロック突出部分との間で、後側の握り部構成要素の前側領域から下方向へ伸びている突出部上に回転自在に支承されている。この際に１つの板ばねが、操作セクションを、前側の握り部構成要素から近位方向にすなわち挟持部に向けて押しやる。曲がって形成されているロック突出部分には、円弧形状の、歯の付いたセクションが設けられ、このセクションは、その中心は２つの握り部構成要素の間のヒンジ連結であり、また前側の握り部構成要素上に固着形成されているロック歯と共に協働する。
【発明の概要】
【発明が解決しようとする課題】
【０００８】
前述のロック機構を備えた外科用器具握り部には、以下の２つの欠点がある。１つは、ロック機構のロック効果を解除するために、人差し指を前側の握り部構成要素に向けて動かし、操作セクションを前側の握り部構成要素に向けて、すなわち遠位方向へ、板ばねの力に抗して押す必要があることである。同時に前側の握り部構成要素は近位方向へと移動されなければならない。つまり人差し指は、薬指、中指、小指の動きに対して逆の動きをしなければならない。これは不自然な動きであって人間工学的では無く、容易に器具の意図しない動きに繋がる。人差し指がロック機構の操作セクションを近位方向へ押した場合、人差し指は、切れ目が付けられその中に操作セクションが配置されている、人差し指台に当接する。その場合、器具は人差し指と親指又は母指球によって確実に保持される。人差し指が操作セクションから、ひいては人差し指台から離れるように動くことで、ロック機構が咬合に至った瞬間に、親指又は母指球と薬指、中指、小指だけが保持のために働き、薬指、中指、小指は、関節状に支承されている前側の握り部構成要素に当接してのみであるため、器具はもはや確実に保持されない。この状態では、容易に器具の望ましくない動きが引き起こされ得る。
【０００９】
本発明の課題はこれをもって、どの時点でも確実に保持可能であり、ロック機構の人間工学的作動又は解除を可能にする外科用器具握り部を製造することである。本発明の別の課題は、開動作と閉動作の間にラチェット作用が生じない、すなわちロック歯が歯付セクション上を滑動しないロック機構を提供することである。
【課題を解決するための手段】
【００１０】
本発明の課題は、請求項１に記載の外科用器具握り部、及び請求項９に記載の、このような握り部を備えた外科用器具によって解決される。有利な実施形態及び発展形態は、従属請求項に開示される。
【００１１】
外科用器具で使用される、本発明の第一の態様に従った外科用器具握り部は、外科用器具の軸構成部及び操作部のうち一方と固着接続可能な、第一の握り部構成要素を備え、この際この第一の握り部構成要素には人差し指台と母指球台が形成されている。加えて、これは第二の握り部構成要素を備え、この第二の握り部構成要素はヒンジ連結で第一の握り部構成要素と接続されており、及び外科用器具の軸構成部及び操作部のうちもう一方と接続可能であり、第二の握り部構成要素上には少なくとも１つのさらなる指台が形成されている。加えて第一の握り部構成要素には１つのロック要素が回転自在に取り付けられていて、このロック要素は操作セクションと第一のロック突出部分を有している。第二の握り部構成要素上には、第二のロック突出部分が設けられ、第一のロック突出部分は第二のロック突出部分に向けて弾性的に、圧縮応力がかけられている。第一の及び第二のロック突出部分は、第一の握り部構成要素上の母指球台と、第二の握り部構成要素上の少なくとも１つのさらなる指台との間の距離が拡大することを阻止するために協働するように調整されている。さらに、この操作セクションは、使用者の親指を基本的に下から支持するように調整されている親指台を備えている。
【００１２】
このような外科用器具握り部により、際立って人間工学的なロックの操作が可能である。同時にこの器具は把持することが非常に容易であって、それによって正確に位置決め可能でありかつ制御可能である。このことは特に、第一の握り部構成要素を人差し指と母指球とで把持することで達成される。この２本の指は、１つの手の中で相互間の距離が比較的大きく、そのため握りレバーは他の握りデザインの場合に比べて明らかに大きい。このようにして、握り部はよりしっかりと把持され得、手の中で器具が意図せずに回転することが格段に少なくなる。
【００１３】
加えて、握り部を持っている使用者の手の親指を、基本的に下方へ又は上方へ動かすことで、ロック機構を操作することが可能である。この動きは、保持している手の他の指の動作方向と逆であったり、又は使用者の手又は指の他の動きと相互に作用したりしない。親指台が下に押されると、第一のロック突出部分が第二のロック突出部分から離れ、容易に器具ハンドル部を開くことができる。親指台が（親指自身によって、又は親指台を初期位置に押しやる弾性構成要素によって）上方に押されると、第二のロック突出部分は第一のロック突出部分内に入り、器具握り部が開くことを阻止する。
【００１４】
本発明の第一の態様の有利な一実施形態では、ロック要素は第一の握り部構成要素上に、操作セクションと第一のロック突出部分との間に、回転自在に取り付けられている。この構成により、ロック突出部分を、２つの握り部構成要素の相対する旋回点に近すぎないように配置する必要はなく、操作セクションの特に人間工学的な配置が達成できる。別法として、旋回点と組立点、親指を含めた操作セクション、及び第一のロック突出部分は、１つの線上に形成されてもよい。しかしその場合は、使用者の親指が第二のロック突出部分と接触し、使用者はこれを少なくとも不快と受け止めるかもしれず、またこれは握り部の開動作もしくは閉動作を実際に障害するものとなる。加えて、この構造は、異なったレバー長を介して第一のロック突出部分動きの増強（又は拡大）をもたらすため、親指の動きを非常に精密に制御しなければならない。
【００１５】
本発明の第一の態様の有利な別の一実施形態では、握り部構成要素を開位置に押し込むよう調整されている弾性構成要素が、第一の握り部構成要素と第二の握り部構成要素との間に配置されている。その際この弾性要素は、好ましくは板ばねであり、さらに好ましくはこの板バネは第一の握り部部分に固定され及び第二の握り部構成要素に当接している。この構造により、握り部を開くことは、中指、薬指及び小指によって能動的に行われる必要は無く、上述の指によってかけられた閉鎖力が緩むと、握り部は自動的に開く。前述の指によって能動的に握り部を開くためには、少なくとも１つの指のために少なくとも１つの当接面が必要である。その場合、少なくとも１つの指のための少なくとも１つの当接面は基本的にリング状に形成されてもよく、又は２つの指の間に、そのような当接面を形成する突出部が形成されてもよい。
【００１６】
本発明の第一の態様で有利な別の一実施形態では、人差し指台、母指球台及び／又は少なくともさらなる別の指台が、基本的に閉じたリングとして形成されている。このような実施形態をもって、ひとつには、２つの握り部構成要素を開方向にばねが付勢しなくても握り部を開くことができ、他方で、この種の指台は一種の指の保護ブラケットを形成することができる。
【００１７】
本発明の第一の態様の有利なさらに別の一実施形態では、人差し指台と母指球台がバーで接続されており、また親指台が少なくとも初期位置ではこのバーの上方に配置されている。このような実施形態では、特に細く軽い器具握り部が成立する。加えて、器具握り部上に、親指台を特に人間工学的に配置し、また同時にロック突出部分を最適に相互に適合させ、操作時に邪魔にならないように握り部を位置決めするための十分なスペースがある。
【００１８】
本発明の第一の態様の有利な別の一実施形態では、第一のロック突出部分が、第二のロック突出部分に向かって突出するロック歯を備え、第二のロック突出部分は第一のロック突出部分の方を向きまた好ましくは円弧形状に形成されているラックを備える。このようにして、ロック歯のラック内への定義された咬合が行われ得る。ラックの好ましい円弧形状は、ラック内にもしくはラックから、ロック歯を入れるためもしくは外すための、ロック要素の動きが、握り部構成要素のどの閉位置でも互いに同じであるように作用する。器具がとる閉位置は、常に同じではなく、ワニ口鉗子の場合、例えばつかんだ組織又は要素もしくはその厚みによって異なる。ロック要素の、また特にその際に親指台を備えた操作セクションの、必要となる動きが、可能などの閉位置でも常に同じである場合、特に確実な器具握り部の操作に繋がる。
【００１９】
さらに、本発明の第一の態様の有利な一実施形態では、第一のロック突出部分が、板ばねを使用して、第二のロック突出部分に向けて圧縮応力がかけられており、この板ばねは第一の握り部構成要素に固定されており、ロック要素に当接している。
【００２０】
さらに、本発明の第一の態様の有利な一実施形態では、右利きでも左利きでも操作可能であるために、親指台が、第一の握り部構成要素１０の長手軸の両側に伸びている。こうすることで、右利き用及び左利き用の特別な器具握り部を用意する必要はない。
【００２１】
本発明の第二の態様では、軸構成部と、操作部と、軸構成部および操作部の軸方向への相対運動によって操作可能な挟持部とを備えた、外科用器具が開示されている。この外科用器具は、上記請求範囲のいずれか１つに従った外科用器具握り部を備えている。上述の外科用器具握り部が固定又は取外し可能に取り付けられているこのような外科用器具により、上述の利点が達成される。
【００２２】
本発明の第二の態様の有利な一実施形態では、第一の握り部構成要素が、外科用器具の軸構成部及び操作部のうち一方と、固着接続されており、第二の握り部構成要素が、外科用器具の軸構成部及び操作部のうちもう一方と接続されている。固着結合は、多くの場合取外し可能な結合よりも頑丈であるため、このようにして、特に正確に操作可能な器具が作成される。
【００２３】
本発明のさらなる利点と特徴は、添付された図と実施形態の詳細な説明により、当業者には明白である。
【図面の簡単な説明】
【００２４】
【図１】使用者の掌中にある、第一の実施形態による外科用器具握り部の側面図である。
【図２】図１に対応する、使用者の手のない図である。
【図３Ａ】第二の実施形態による外科用器具握り部の側面図である。
【図３Ｂ】図３Ａの外科用器具握り部の上面図である。
【図４Ａ】第三の実施形態による外科用器具握り部の側面図である。
【図４Ｂ】図４Ａの外科用器具握り部の上面図である。
【発明を実施するための形態】
【００２５】
本発明の第一の実施形態を、図１及び図２を使用して詳細に説明する。
【００２６】
本実施形態の外科用器具握り部は、詳細に記述されていない外科用器具のために、例えば内視鏡用ワニ口鉗子のために作成される。軸構成部１及び操作部２は、概略的に示されているだけであり、操作部２は、完全に中空軸構成部１内で伸びていてよい。器具握り部の操作中に操作部２が上方及び下方に動くことを防止するため、操作部はピンによって長穴に固定されることができ、この長穴は第二の握り部構成要素のジョイント接続部６に代わって形成されている。
【００２７】
この器具は、第一の握り部構成要素１０を備え、この第一の握り部構成要素は軸構成部１と固着接続されている。第一の握り部構成要素１０には、人差し指台１１と母指球台１２が形成され、その中に使用者の人差し指又は母指球が挿入される。２つの台１１及び１２は、バー１３で接続されている。ジョイント点５で第一の握り部構成要素１０と接続されている第二の握り部構成要素２０は、ジョイント６で外科用器具の操作部２と接続されている。第二の握り部構成要素２０には、３つの個別の指台２１、２２、２３が形成されている。第一の握り部構成要素１０には、ロック要素３０が回転自在に取り付けられており、このロック要素は操作セクション３２と第一のロック突出部分３５を有している。第一のロック突出部分は、単独のロック歯３６である。第二の握り部構成要素２０には、第二のロック突出部分２５が、ラック２６の形で備えられており、ロック歯３６の方を向いたラック側面は、円弧形状である。第一のロック突出部分３５は、板ばね４２を使って第二のロック突出部分２５に向けて弾性的に圧縮応力がかけられている。板ばね４２は、第一の握り部構成要素１０のバー１３に取付けられていて、基本的に下から、ロック要素３０の操作セクション３２に形成されている親指台３３に当接している。
【００２８】
ロック歯３６及びラック２６は、第一の握り部構成要素１０の母指球台１２と、第二の握り部構成要素２０の指台２１、２２、２３との間の距離が拡大することを阻止するために協働するように調整されている。そのために、ロック歯３６はラック２６の歯間空間に入ることができる。ロック歯３６とラック２６の歯の形状により、ロック要素３０が操作されることなしに又は操作する必要なしに、ロック歯３６が閉方向に、ラック２６を超えて滑動することを可能にし、他方で、反対方向への動きは、ロック要素３０を操作することなく確実に阻止される。これに対応するラック２６とロック歯３６の成形は、従来技術で公知である。親指台３３は、図１に示されているように、使用者の親指を基本的に下から支えるように形成されている。さらに本実施形態では、親指台３３は常にバー１３の上にあり、またバー１３の横方向両側に伸び、その結果器具握り部は右利きの人も左利きの人も使用可能である。
【００２９】
ロック要素３０は点３１のところで、第一の握り部構成要素１０のバー１３にヒンジ連結で取り付けられているが、この点は親指台３３を備えた操作セクション３２とロック歯３６を備えた第一のロック突出部分３５との間にある。板ばね４１は、第一の握り部構成要素１０と第二の握り部構成要素２０との間に配置されており、握り部構成要素１０、２０を開位置に押す。板ばね４１は、第一の握り部構成要素１０に取り付けられ、第二の握り部構成要素２０に当接している。
【００３０】
使用者の親指を軽く曲げることで、親指台３３の上にある、人間工学的な構えを取っている手の親指先端が下方へ動く。それによってロック要素３０がジョイント点３１の周りを回り、第一のロック突出部分３５のロック歯３６は、第二の握り部構成要素２０と一体的に形成されて、第一の握り部構成要素１０に向かって突出しているところの、第二のロック突出部分２５のラック２６の歯との咬合から外れる。この状態で、器具握り部の、ひいては付属する器具の挟持部の任意の開閉が可能である。閉位置をロックするため、すなわちこの位置から意図せずに開いてしまうことを防ぐため、使用者は、親指台３３、ひいてはロック突出部分３０がその開始位置に戻るまで、親指を伸展する。その際ロック歯３６はラック２６と咬合し、器具握り部がロックされる。
【００３１】
以下に、本発明の第二の例示的実施例を、図３Ａ及び図３Ｂを参照にして説明するが、ここでは主に第一の例示的実施例との相違を説明する。第一の例示的実施例との唯一の相違は、親指台３３が比較的細く形成され、中指と薬指用の指台が共通のリング状の台２１Ａとして形成されていることである。図３Ｂに示されているように、第一の握り部構成要素１０のバー１３にはスリットが設けられ、第二の握り部構成要素２０及びロック要素３０がこのスリット３４内に配置されている。このようにして、第一の握り部構成要素１０はいわば２つのバーを備えている。しかし、原則的に第一の握り部構成要素１０は１つのバー１３のみを備えていればよく、第二の握り部構成要素２０とロック突出部分３０はスリット３４内に配置されず、代わって唯一のバー１３の側方に配置されていてよい。
【００３２】
本発明の第三の実施形態を、図４Ａ及び図４Ｂを使用して以下に詳細が説明するが、ここでも主に第一の実施形態との相違を説明する。ロック要素３０Ａは非常に幅の広い親指台３３Ｂを有し、加えてこの親指台はバー１３の下側に配置されている。それを用いてロック要素３０Ａをロック位置に押すばね４２Ａは、母指球台１２の領域に取付けられ、第一のロック突出部分３５に斜め下側から当接している。使用態勢中は親指はバー１３の上ではなくバー１３の隣にあるため、母指球台３３Ｂは、幅広く形成されている。誤って親指が親指台３３Ｂから滑って外れることを防止するため、それに対応してこの親指台の寸法が決められている。
【００３３】
当業者には、添付された請求項、上記の説明と図から、本発明の他のさまざまな実施形態と適用が明らかである。言うまでもなく、さまざまな実施形態の個々の特徴又は特徴群を、任意に適切に互いに組み合わせることができる。板ばねは例えばキックばね又はねじりばねで置き換えることができる。
【図１】
2016526942.tif 000003
【図２】
2016526942.tif 000004
【図３Ａ】
2016526942.tif 000005
【図３Ｂ】
2016526942.tif 000006
【図４Ａ】
2016526942.tif 000007
【図４Ｂ】
2016526942.tif 000008
【手続補正書】
【提出日】平成28年1月7日(2016.1.7)
【手続補正１】
【補正対象書類名】特許請求の範囲
【補正対象項目名】全文
【補正方法】変更
【補正の内容】
【特許請求の範囲】
【請求項１】
第一の握り部構成要素１０を備え、該第一の握り部構成要素は外科用器具の軸構成部１及び操作部２のうち一方と固定接続可能であり、その際前記第一の握り部構成要素１０に人差し指台１１と母指球台１２が形成されており、
第二の握り部構成要素２０を備え、該第二の握り部構成要素はヒンジ連結で第一の握り部構成要素１０と接続されており、及び前記外科用器具の前記軸構成部１及び前記操作部２のうちもう一方と接続可能であり、
その際前記第二の握り部構成要素２０上に少なくとも１つの別の指台２１、２２、２３；２１Ａ、２３Ａが形成されている外科用器具用の外科用器具握り部であって、
前記第一の握り部構成要素１０にロック要素３０が回転自在に取り付けられており、その際前記ロック要素３０が操作セクション３２、３２Ａ及び第一のロック突出部分３５を有し、
前記第二の握り部構成要素２０に第二のロック突出部分２５が設けられており、
前記第一のロック突出部分３５が前記第二のロック突出部分２５に向かって弾性的に、圧縮応力がかけられていて、
前記第一のロック突出部分２５及び前記第二のロック突出部分３５が、第一の握り部構成要素１０の母指球台１２と、第二の握り部構成要素２０の少なくとも１つの別の指台２１、２２、２３；２１Ａ、２３Ａとの間の距離が拡大することを阻止するために協働するように調整され、及び
前記操作セクション３２、３２Ａが、使用者の親指を下から支持するように調整されている親指台３３、３３Ａを有していることを特徴とする、外科用器具握り部。
【請求項２】
前記ロック要素３０が、前記操作セクション３２と前記第一のロック突出部分３５との間で、前記第一の握り部構成要素１０上に回転自在に取り付けられている、請求項１に記載の外科用器具握り部。
【請求項３】
弾性要素４１が、前記第一の握り部構成要素１０と前記第二の握り部構成要素２０との間に配置されており、該弾性要素は前記握り部構成要素１０、２０が開位置に押されるよう調整されている、請求項１又は２に記載の外科用器具握り部。
【請求項４】
前記弾性要素４１は、前記第一の握り部部分１０に固定され、かつ、前記第二の握り部構成要素２０に当接している板ばねである、請求項３に記載の外科用器具握り部。
【請求項５】
前記人差し指台１１、前記母指球台１２及び／又は少なくとも１つの別の指台２１、２２、２３、２１Ａ、２３Ａが閉じたリング２１Ａとして形成されている、請求項１〜４のいずれか一項に記載の外科用器具握り部。
【請求項６】
前記人差し指台１１と前記母指球台１２がバー１３で接続されており、前記親指台３３が少なくとも初期位置で前記バー１３の上方に配置されている、請求項１〜５のいずれか一項に記載の外科用器具握り部。
【請求項７】
前記第一のロック突出部分３５が前記第二のロック突出部分２５に向かって突出しているロック歯３６を備え、及び
前記第二のロック突出部分２５が、前記第一のロック突出部分３５の方を向いており、かつ円弧形状に形成されているラック２６を備える、請求項１〜６のいずれか一項に記載の外科用器具握り部。
【請求項８】
前記第一のロック突出部分３５が、板ばね４２を使用して、前記第二のロック突出部分２５に向かって圧縮応力がかけられており、該板ばねが前記第一の握り部構成要素１０に固定されており、かつ前記ロック要素３０に当接している、請求項１〜７のいずれか一項に記載の外科用器具握り部。
【請求項９】
右利きでも左利きでも操作可能であるために、前記親指台３３、３３Ａが、前記第一の握り部構成要素１０の長手軸の両側に伸びている、請求項１〜８のいずれか一項に記載の外科用器具握り部。
【請求項１０】
軸構成部１と、
操作部２と、
前記軸構成部１及び前記操作部２の軸方向の相対運動によって操作可能である挟持部とを備える外科用器具であって、
前記請求項のいずれか一項にそった外科用器具握り部を特徴とする、外科用器具。
【請求項１１】
前記第一の握り部構成要素１０が、外科用器具の前記軸構成部１及び前記操作部２のうち一方と、固着的に接続されていて、及び
前記第二の握り部構成要素２０が、前記外科用の器具の前記軸構成部１及び前記操作部２のうちもう一方と連結されている、請求項１０に記載の外科用器具。
【手続補正２】
【補正対象書類名】明細書
【補正対象項目名】００３２
【補正方法】変更
【補正の内容】
【００３２】
本発明の第三の実施形態を、図４Ａ及び図４Ｂを使用して以下に詳細が説明するが、ここでも主に第一の実施形態との相違を説明する。ロック要素３０Ａは非常に幅の広い親指台３３Ａを有し、加えてこの親指台はバー１３の下側に配置されている。それを用いてロック要素３０Ａをロック位置に押すばね４２Ａは、母指球台１２の領域に取付けられ、第一のロック突出部分３５に斜め下側から当接している。使用態勢中は親指はバー１３の上ではなくバー１３の隣にあるため、母指球台３３Ａは、幅広く形成されている。誤って親指が親指台３３Ａから滑って外れることを防止するため、それに対応してこの親指台の寸法が決められている。
【手続補正３】
【補正対象書類名】明細書
【補正対象項目名】００３３
【補正方法】変更
【補正の内容】
【００３３】
当業者には、添付された請求項、上記の説明と図から、本発明の他のさまざまな実施形態と適用が明らかである。言うまでもなく、さまざまな実施形態の個々の特徴又は特徴群を、任意に適切に互いに組み合わせることができる。板ばねは例えばキックばね又はねじりばねで置き換えることができる。
以下の項目は、国際出願時の特許請求の範囲に記載の要素である。
[項目１]
第一の握り部構成要素１０を備え、該第一の握り部構成要素は外科用器具の軸構成部１及び操作部２のうち一方と固定接続可能であり、その際前記第一の握り部構成要素１０に人差し指台１１と母指球台１２が形成されており、
第二の握り部構成要素２０を備え、該第二の握り部構成要素はヒンジ連結で第一の握り部構成要素１０と接続されており、及び前記外科用器具の前記軸構成部１及び前記操作部２のうちもう一方と接続可能であり、
その際前記第二の握り部構成要素２０上に少なくとも１つの別の指台２１、２２、２３；２１Ａ、２３Ａが形成されている外科用器具用の外科用器具握り部であって、
前記第一の握り部構成要素１０にロック要素３０が回転自在に取り付けられており、その際前記ロック要素３０が操作セクション３２、３２Ａ及び第一のロック突出部分３５を有し、
前記第二の握り部構成要素２０に第二のロック突出部分２５が設けられており、
前記第一のロック突出部分３５が前記第二のロック突出部分２５に向かって弾性的に、圧縮応力がかけられていて、
前記第一のロック突出部分２５及び前記第二のロック突出部分３５が、第一の握り部構成要素１０の母指球台１２と、第二の握り部構成要素２０の少なくとも１つの別の指台２１、２２、２３；２１Ａ、２３Ａとの間の距離が拡大することを阻止するために協働するように調整され、及び
前記操作セクション３２、３２Ａが、使用者の親指を基本的に下から支持するように調整されている親指台３３、３３Ａを有していることを特徴とする、外科用器具握り部。
[項目２]
前記ロック要素３０が、前記操作セクション３２と前記第一のロック突出部分３５との間で、前記第一の握り部構成要素１０上に回転自在に取り付けられている、項目１に記載の外科用器具握り部。
［項目３］
弾性要素４１が、前記第一の握り部構成要素１０と前記第二の握り部構成要素２０との間に配置されており、該弾性要素は前記握り部構成要素１０、２０が開位置に押されるよう調整されており、前記弾性要素４１が、好ましくは板ばねであり、該板ばねがさらに好ましくは前記第一の握り部部分１０に固定されており、及び前記第二の握り部構成要素２０に当接している、項目１又は２に記載の外科用器具握り部。
［項目４］
前記人差し指台１１、前記母指球台１２及び／又は少なくとも１つの別の指台２１、２２、２３、２１Ａ、２３Ａが基本的に閉じたリング２１Ａとして形成されている、項目１〜３のいずれか一項に記載の外科用器具握り部。
［項目５］
前記人差し指台１１と前記母指球台１２がバー１３で接続されており、前記親指台３３が少なくとも初期位置で前記バー１３の上方に配置されている、項目１〜４のいずれか一項に記載の外科用器具握り部。
［項目６］
前記第一のロック突出部分３５が前記第二のロック突出部分２５に向かって突出しているロック歯３６を備え、及び
前記第二のロック突出部分２５が、前記第一のロック突出部分３５の方を向いており、かつ好ましくは円弧形状に形成されているラック２６を備える、項目１〜５のいずれか一項に記載の外科用器具握り部。
［項目７］
前記第一のロック突出部分３５が、板ばね４２を使用して、前記第二のロック突出部分２５に向かって圧縮応力がかけられており、該板ばねが前記第一の握り部構成要素１０に固定されており、かつ前記ロック要素３０に当接している、項目１〜６のいずれか一項に記載の外科用器具握り部。
［項目８］
右利きでも左利きでも操作可能であるために、前記親指台３３、３３Ａが、前記第一の握り部構成要素１０の長手軸の両側に伸びている、項目１〜７のいずれか一項に記載の外科用器具握り部。
［項目９］
軸構成部１と、
操作部２と、
前記軸構成部１及び前記操作部２の軸方向の相対運動によって操作可能である挟持部とを備える外科用器具であって、
前記項目のいずれか一項にそった外科用器具握り部を特徴とする、外科用器具。
［項目１０］
前記第一の握り部構成要素１０が、外科用器具の軸構成部１及び操作部２のうち一方と、固着的に接続されていて、及び
前記第二の握り部構成要素２０が、前記外科用の器具の前記軸構成部１及び前記操作部２のうちもう一方と連結されている、項目９に記載の外科用器具。
【手続補正４】
【補正対象書類名】図面
【補正対象項目名】全図
【補正方法】変更
【補正の内容】
【図１】
2016526942.tif 000009
【図２】
2016526942.tif 000010
【図３Ａ】
2016526942.tif 000011
【図３Ｂ】
2016526942.tif 000012
【図４Ａ】
2016526942.tif 000013
【図４Ｂ】
2016526942.tif 000014
【国際調査報告】
2016526942.tif 000015
2016526942.tif 000016
2016526942.tif 000017
2016526942.tif 000018
2016526942.tif 000019
2016526942.tif 000020